(57)【要約】  電気ヒューズ及びこのための方法は、保護用の本体、保護用の本体から延長する端子要素、保護用の本体内を延長し、端子要素間に電気的に接続された一次ヒューズ要素、及び一次ヒューズ要素の動作状態を判定するべく無線信号をリモート装置に伝送するべく構成された識別要素を含む。【選択図】図３
2007534134.tif 000002
【特許請求の範囲】
【請求項１】
保護用の本体と、
前記保護用の本体から延長する端子要素と、
前記保護用の本体内を延長し、前記端子要素間に電気的に接続された一次ヒューズ要素と、
前記一次ヒューズ要素の動作状態を判定するために、無線信号をリモート装置に対して伝送するように構成された識別要素と、
を有することを特徴とする電気ヒューズ。
【請求項２】
前記識別要素は、トランスポンダを有する、請求項１に記載のヒューズ。
【請求項３】
前記識別要素は、プロセッサを有する、請求項１に記載のヒューズ。
【請求項４】
前記識別要素は、メモリを有する、請求項１に記載のヒューズ。
【請求項５】
前記識別要素は、電池を有する、請求項１に記載のヒューズ。
【請求項６】
前記識別要素は、高周波信号を伝送するように構成されている、請求項１に記載のヒューズ。
【請求項７】
前記識別要素は、アンテナを有する、請求項１に記載のヒューズ。
【請求項８】
前記本体が円筒形であることを特徴とする、請求項１記載のヒューズ状態インジケータ。
【請求項９】
保護用の本体、前記保護用の本体に結合された端子要素、前記保護用の本体内を延長し且つ前記端子要素間に電気的に接続された一次ヒューズ要素、及び前記端子要素間に配置された識別要素を有する少なくとも１つのヒューズと、
無線インターフェイスを通じて前記識別要素と通信するように構成されたリモート通信装置と、
を有することを特徴とするヒューズ状態識別システム。
【請求項１０】
前記通信装置は、高周波呼掛機装置を有する、請求項９に記載のヒューズ状態識別システム。
【請求項１１】
前記識別要素は、トランスミッタ、レスポンダ及びトランスポンダの中の少なくとも１つを有する、請求項９に記載のヒューズ状態識別システム。
【請求項１２】
前記識別要素は、電池を有する、請求項９に記載のヒューズ状態識別システム。
【請求項１３】
前記識別要素は、メモリを有する、請求項９に記載のヒューズ状態識別システム。
【請求項１４】
前記識別要素は、プロセッサを有する、請求項９に記載のヒューズ状態識別システム。
【請求項１５】
トランスミッタを有し、一次ヒューズ要素を有するヒューズに電気的に接続された高周波識別タグと、
ヒューズの動作状態を判定するために前記タグと無線通信するべく構成された高周波呼掛機装置と、
を有することを特徴とするヒューズ状態通知システム。
【請求項１６】
その内部にヒューズ状態識別要素を有する少なくとも１つのヒューズ、及び前記ヒューズから離れた通信装置を有するヒューズシステム内において開路したヒューズを通知する方法において、
無線インターフェイスを通じて前記通信装置から前記ヒューズの前記識別要素に対して信号を伝送し、
前記通信装置に対する前記識別要素からの応答を待ち、
前記識別要素からの前記応答又はその欠如に基づいて前記ヒューズの動作状態を判定する、
段階を有することを特徴とする方法。
【請求項１７】
前記通信装置によって伝送場を生成し、
前記伝送場によって前記識別要素に電力を供給する、
段階を更に有する、請求項１６に記載の方法。
【請求項１８】
信号を伝送する段階は、高周波信号を伝送する段階を有する、請求項１６に記載の方法。
【発明の詳細な説明】
【技術分野】
【０００１】
本発明は、一般に、ヒューズに関するものであり、更に詳しくは、ヒューズ状態インジケータを具備したヒューズに関するものである。
【背景技術】
【０００２】
ヒューズとは、エンドキャップやブレード端子などの導電性の端子要素間に延長する一次溶解可能リンク又は一次ヒューズ要素アセンブリを具備した広範に使用されている過電流保護装置である。電力が供給されている電気回路に端子要素が電気的に接続されると、一次溶解可能リンク又はヒューズ要素アセンブリを通じて電流が流れる。一次溶解可能リンク又はヒューズ要素アセンブリは、ヒューズを流れる電流が既定のレベルに到達した際に、溶解、崩壊、又はその他の方式によって構造的に機能しなくなるように設計されており、この結果、ヒューズを通じた電気回路を開路することにより、関連する電気装置及びコンポーネントを損傷から保護している。溶解可能リンクによって回路を開路された場合には、そのヒューズを除去し、別のヒューズと交換することにより、回路を再度完成させることができる。
【０００３】
交換のための開路したヒューズの識別作業は、特に、多数のヒューズを利用している大規模な電気システムの場合には、常に容易であるというわけではない。開路したヒューズを効率的に見つけ出すことができるように、ヒューズの動作状態を通知するべく使用可能な様々なタイプのヒューズ状態インジケータが開発されている。例えば、既知のインジケータは、ヒューズの外観の変化によって開路したヒューズを通知するランプ、発光ダイオード、温度応答型材料、機械的ピン、フラグなど、ヒューズのハウジング内に組み込まれた局所的なヒューズ状態識別機能を提供している。但し、このようなインジケータは、いくつかの側面において、欠点を有している。
【０００４】
例えば、一次ヒューズ要素が開路したときに解放されるスプリングが取り付けられた要素を含む機械的インジケータが開発されている。しかしながら、このような機械的なインジケータは、組立が困難であり、望ましい信頼性を具備することができない。
【０００５】
その他のタイプのヒューズ状態インジケータは、ヒューズの外観の物理的な変化によってヒューズの動作状態を通知している。通常、これには、ヒューズ本体の外部表面上に延長する導電性のインジケータリンクアセンブリが伴っている。この外部リンクは、ヒューズ本体の外部において二次ヒューズリンクを形成しており、ヒューズ本体の内部の一次ヒューズ要素と並列に接続されている。インジケータリンクが過電流状態において開路すると、インジケータリンク自体又はインジケータアセンブリのその他の部分が変色することになる。但し、これらのタイプのインジケータは、外部インジケータリンクをヒューズの端子要素に対して確実に終端処理することが困難であることが判明してる。
【０００６】
また、いくつかの既知のヒューズは、開路したヒューズについて、外部装置（例えば、コンピュータやリレー）に対して通知可能なアラーム端子を含んでいる。しかしながら、このようなリモートのヒューズ状態通知には、ヒューズアラーム端子と外部装置間に配線されたポイントツーポイントの接続が伴っている。ヒューズが装着されているシステムの多くは、これを目的とした配線を有していない。
【０００７】
使用するインジケータのタイプとは無関係に、製造上の制約により、ヒューズが開路した際に、結果又は効果に多少のばらつきが生じる傾向があり、このようなばらつきに起因し、インジケータにも拘わらず、開路したヒューズの検出が困難になってしまう。例えば、あるヒューズは、一次ヒューズ要素が開路したときに、外観の明白な変化を示すことができるが、別のヒューズは、一次ヒューズ要素が開路した際に、わずかな変化しか示すことができない。明白な変化の観察を予想している人物にとって、わずかな変化は、明らかなものではないであろう。
【０００８】
さらに、所与のヒューズが回路する前に相当の期間が経過する場合があり、この時間の経過により、インジケータが適切に動作する可能性が低下することになる。これは、機械的に作動する通知システム、ランプ及び発光体を含むヒューズ状態インジケータ、及び時間の経過に伴って劣化する温度応答型の材料を含むヒューズ状態インジケータの場合に、特に当て嵌まる。
【０００９】
さらに、既知のインジケータを具備したヒューズは、通常、検査のためにインジケータを視認できるように、電気システム内において特定の向きに設置しなければならない。インジケータを検査するためにヒューズを電気システムから取り外さなければならない場合には、インジケータの価値が失われてしまう。また、ヒューズの設置法が不適切な場合には、ヒューズの視覚的な検査からは明らかにならない可能性があるので、ヒューズを通じて電流が適切に流れることができず、インジケータはその設計どおりに機能しなくなる。このような状況においては、既知のインジケータは、問題のヒューズを識別するのに有効ではない。
【発明の開示】
【００１０】
模範的な実施例によれば、電気ヒューズは、保護用の本体、保護用の本体から延長する端子要素、保護用の本体内を延長し、端子要素間に電気的に接続された一次ヒューズ要素、及び一次ヒューズ要素の動作状態を判定するために無線信号をリモード装置に対して伝送するべく構成された識別要素を有している。
【００１１】
別の模範的な実施例によれば、ヒューズ状態識別システムが提供される。本システムは、保護用の本体、保護用の本体に結合された端子要素、保護用の本体内を延長し、端子要素間に電気的に接続された一次ヒューズ要素、及び端子要素間に配置された識別要素を有する少なくとも１つのヒューズを有している。無線インターフェイスを通じて識別要素と通信するべく、リモート通信装置が構成されている。
【００１２】
更に別の模範的な実施例においては、ヒューズ状態通知システムは、トランスミッタを有する高周波識別タグであって、一次ヒューズ要素を有するヒューズに電気的に接続されている高周波識別タグと、ヒューズの動作状態に関する判定のためにタグとの間において無線通信するべく構成された高周波呼掛機装置と、を有している。
【００１３】
更に別の実施例においては、内部にヒューズ状態識別要素を有する少なくとも１つのヒューズと、このヒューズから離れた通信装置と、を具備するヒューズが装着されているシステム内における開路したヒューズについて通知する方法が提供される。本方法は、無線インターフェイスを通じて通信装置からヒューズの識別要素に対して信号を伝送する段階と、識別要素から通信装置への応答を待つ段階と、識別要素からの応答又はその欠如に基づいてヒューズの動作状態を判定する段階と、を有している。
【発明を実施するための最良の形態】
【００１４】
図１は、後述する読み取り装置又は呼掛機装置などのリモート装置１４０と無線接続１３０を介して通信する識別要素又はタグ装置１２０が結合されたヒューズ１１０を含むヒューズ状態識別システム１００の実施例の概略ブロック図である。識別要素１２０は、ヒューズ１１０に電気的に接続されており、これを使用することにより、ヒューズ１１０が動作可能状態（即ち、電流が搬送又は開路しておらず、ヒューズを通じた電気的接続が完成している状態）にあるかどうか、又は、ヒューズ１１０が動作不能状態（即ち、開路しており、ヒューズを通じた電気的接続が遮断されている状態）にあるかどうかを判定可能である。
【００１５】
後述するように、識別要素１２０から通信装置１４０への信号伝送により、必要に応じて、ヒューズ１１０の動作状態を確実に通知可能である。識別要素１２０から通信装置１４０への信号伝送は、無線インターフェイスを通じて実行され、ポイントツーポイントの配線が回避されている。従って、本システム１００は、ヒューズを通信装置に接続するためのワイヤや信号導体による改善や変更を伴うことなしに、既存のヒューズが装着されているシステムに対して普遍的に使用可能である。
【００１６】
また、システム１００は、ヒューズの開路した又は開路していない状態に加えて、ヒューズが装着されているシステムに関連のあるその他の情報を通信することも可能である。具体的には、システム１００を使用することにより、不適切に設置された又は誤動作しているヒューズを識別すると共に、ヒューズ１１０と関連付けられている電気システムに関する情報を提供可能である。本システム１００は、電子的に実装され、時間の経過に伴う劣化の問題を回避しており、費用効率の優れた方式で実装可能である。
【００１７】
実施例においては、通信装置１４０及び識別要素１２０は、高周波によって通信し、本システムは、既知のＲＦＩＤ（Radio Frequency Identification）システムに従って動作している。従って、当業者であれば、識別要素１２０がＲＦＩＤ識別タグであり、通信装置１４０がＲＦＩＤ読み取り装置又は呼掛機装置であることを理解することができよう。従って、本システムは、識別要素１２０と通信装置１４０の近接状態における電磁的又は誘導結合に基づいて動作するか、又は伝播電磁波を使用して動作する。但し、本発明の範囲及び精神を逸脱することなしに、ＲＦＩＤ通信の代わりに、赤外線通信を含む（但し、これに限定されない）その他の形態及びタイプの無線通信を利用することも可能である。
【００１８】
図２は、システム１００（図１に示されている）に使用するヒューズ１１０の実施例の概略断面図である。既知のヒューズと同様に、ヒューズ１１０は、絶縁性（即ち、非導電性）材料から製造された保護用の本体２１０、本体２１０に結合された導電性の端子要素２１２、２１４、及び本体２１０内を延長し、端子要素２１２、２１４間に電気的に接続された一次ヒューズ要素２１６を含んでいる。一次ヒューズ要素２１６は、端子要素２１２、２１４間におけるヒューズ１１０を通じた電気的接続を遮断又は開路するべく、既定の電流状態（即ち、障害電流）が発生した際に、溶解、崩壊、蒸発、又はその他の方式によって構造的に機能しなくなるように、構築、サイズ設定、及び寸法設定されている。このような方式における一次ヒューズリンク２１６の開路により、さもなければ障害電流の結果として発生し得る損傷から、ヒューズ１１０と関連付けられている電気的コンポーネント及び装置を保護している。尚、この目的を達成するべく、様々なタイプのヒューズ要素及びアセンブリが周知であり、本発明は、特定のタイプ又は構成の一次ヒューズ要素に限定されるものではない。
【００１９】
例示用の実施例においては、ヒューズ１１０は、第１端部２２２、第２端部２２４、及びこれらの間に延長するボア２２６を具備した円筒形の本体２１０を含む円筒形カートリッジヒューズである。一次ヒューズ要素２１６は、ボア２２６を通じて延長しており、例えば、端子要素２１２及び２１４に対するはんだ付けや要素２１２、２１４と係合する導電性のワッシャ（図示されていない）を介したものなどの既知の方式により、端子要素２１２及び２１４に接続されている。一実施例においては、端子要素２１２、２１４は、導電性のフェルール又はエンドキャップであり、圧着技術などの既知の方式により、本体２１０の個々の端部２２２、２２４に装着されている。端子要素２１２、２１４がライン側及び負荷側の電気回路（これらは、図示されていない）に接続されると、一次ヒューズ要素２１６を通じて電流経路が形成される。尚、図２には、円筒形又は管状の本体２１０が示されているが、代替実施例においては、矩形のヒューズモジュールを含む（但し、これに限定されない）その他の形状及び構造の本体又はハウジングを使用することも可能であることを理解されたい。同様に、本発明の範囲及び精神を逸脱することなしに、エンドキャップ２１２及び２１４の代わりに、様々な端子要素を使用可能である。
【００２０】
識別要素１２０は、一次ヒューズ要素２１６と並列に電気的に接続されており、ヒューズ本体２１０の内部に位置しているが、代替実施例においては、識別要素１２０は、本体２１０の外部表面上に配置可能であることを理解されたい。図示の実施例においては、識別要素１２０は、一次ヒューズ要素２１６よりも格段に大きな電気抵抗を具備した微細なヒューズワイヤ又はその他の導電性材料を通じて既知の方式によって端子要素２１２、２１４に接続されている。従って、識別要素１２０を通じて流れるのは、ヒューズ１１０を通じて流れる電流の非常に小さな部分のみであり、従って、識別要素１２０は、後述するように、相対的に小さな電流を監視することにより、ヒューズ１１０の状態を通知することができる。
【００２１】
実施例においては、識別要素１２０は、例えば、１００〜５００ｋＨｚ、更に詳しくは、約１２５ｋＨｚである既定の高周波搬送波により、無線インターフェイスを介して通信装置１４０（これは、図１に示されている）と無線通信する既知のＲＦＩＤトランスポンダ装置である。但し、適用可能なＲＦＩＤ規格に応じて、その他の周波数の搬送波を利用することも可能であることを理解されたい。また、識別要素１２０と通信装置１４０間のデータ伝送レートも、信号伝送のために選択される搬送波周波数の影響を受けることについて認識されたい。即ち、周波数が高いほど、装置間における伝送レートも高くなる。
【００２２】
通信装置１４０と識別要素１２０の間における通信の動作レンジ又は距離は、装置のパワーレベルによって左右され、このパワーレベルは、例えば、１００〜５００ｍＷ又は、適用可能な規制によって決定される。このレンジは、主には、識別要素１２０と通信するために通信装置１４０において適用可能なパワーと、応答するために識別要素１２０内において利用可能なパワーと、動作環境内における環境状態及び構造物の存在の影響を受ける。一実施例においては、識別要素１２０のパワーレベルは、通信装置１４０のパワーレベルよりも格段に低くなっている。当業者であれば、更なる説明を要することなしに、特定の動作環境用の望ましい規格及び目的を満足する適切なパワーレベルを選択可能であろう。
【００２３】
次に図３を参照すれば、実施例においては、通信装置１４０は、ディスプレイ２４０、インターフェイス２４２、アンテナ２４４を含んでおり、任意選択により、プロセッサ２４６及びメモリ２４８を含んでいる。通信装置１４０の動作については、後述する。
【００２４】
ヒューズ１１０の識別要素１２０は、プロセッサ２５０、アンテナ２５２、及びメモリ２５４を含んでおり、このメモリは、様々な実施例においては、要素１２０の精巧度に応じて、ＲＯＭ（Read-Only Memory）、ＲＡＭ（Random Access Memory）、又はＥＥＰＲＯＭ（Electrically Erasable Programmable Memory）などの不揮発性プログラミングメモリであってよい。プロセッサ２５０は、通信装置１４０からの呼掛けに際し、無線接続１３０（図１に参照）により、高周波を介して通信装置１４０と通信し、アンテナ２５２は、動作の際に通信装置１４０によって生成される場を検知する。また、アンテナ２５２は、既知の方式により、通信装置１４０に対して応答を伝送するべく機能する。
【００２５】
後述するように、装置１４０からの呼掛けに対する識別要素１２０からの応答又は応答の欠如により、ヒューズ１１０の動作状態を判定可能である。通信装置１４０を使用することにより、関連付けられている回路からヒューズ１１０を切断することなしに、いくつかのヒューズ１１０の動作状態を試験及び診断可能である。ユーザの要求に応じて、装置１４０は、無線インターフェイス上において無線通信（例えば、高周波通信）によって識別要素１２０に対して呼掛けを実行し、この結果、通信装置のアンテナ２４４の伝送場２５６が識別要素のアンテナ２５２の伝送場２５８とやり取りを行う。呼掛けに応答し、識別要素１２０が装置１４０に対して回答する。通信プロトコルの精巧度と、ヒューズ１１０の一次ヒューズリンク２１６に対する識別要素の関係に応じて、プロセッサに基づいた識別要素１２０により、ヒューズ１１０の動作状態を様々な方法で判定可能である。
【００２６】
実施例においては、識別要素１２０は、受動型の高周波トランスミッタであり、装置１４０に対して応答するための電力に関しては、通信装置１４０によって生成される伝送場に依存している。このような実施例においては、識別要素１２０は、ヒューズ１１０の動作状態に関係したデータを保存しない。
【００２７】
代替実施例においては、識別要素１２０は、能動型の高周波トランスポンダであり、電池２６８などのオンボード型の電源から電力を供給されているか、又は二次ヒューズリンク２３０（図２参照）を通過する電流によって電力を供給されている。従って、識別装置１２０は、問い合わせの際に、データを保存し、且つ、データを通信装置１４０に伝送する能力を有している。即ち、このような実施例においては、識別要素１２０は、読み取り及び書き込み装置であり、問題の診断やトラブルシューティングなどの高度な機能の能力を有している。
【００２８】
プロセッサに基づいた通信装置１４０は、呼掛けに対する応答を解釈し、後述する判読可能な形態において出力をユーザに提供するべく、プログラミング可能である。
【００２９】
例えば、一実施例においては、通信装置１４０からの呼掛けに対する応答として識別要素１２０から受信される信号は、一次ヒューズ要素２１６（図２参照）が動作可能状態にあるという通知として解釈可能である。例えば、図２に示されているヒューズ１１０を検討すれば、一次ヒューズリンク２１６が開路すると、障害電流の全体が識別要素１２０に流れることになり、障害電流が要素１２０を破壊又は動作不能にするように識別要素１２０が選択されている場合には、要素１２０は、ヒューズ１１０が開路した後には、応答するべく機能することができなくなろう。従って、所与の識別要素１２０から応答が受信されない場合には、関連付けられているヒューズが開路していると推定可能である。
【００３０】
同様に、別の実施例においては、識別要素１２０は、端子要素２１２及び２１４又は一次ヒューズ要素２１６に対して電気的に接続されることなしに、単に一次ヒューズ要素２１６に近接した状態で物理的に配置可能である。このような実施例においては、一次ヒューズ要素２１６の開路に関連した熱及びアーク放電によって識別要素１２０が損傷し、呼掛けに対する応答が妨げられることになる。従って、所与の識別要素１２０から応答が受信されない場合には、関連付けられているヒューズが開路していると推定可能である。
【００３１】
別の例として、識別要素１２０の効果的な選択と、ヒューズ１１０に対する識別要素１２０の効果的な接続により、識別要素１２０は、一次ヒューズ要素２１６の開路に耐えることが可能であり、且つ、例えば、ヒューズ１１０を通じた電気回路の電流又は電圧の検知により、一次ヒューズ要素２１６の開路を判定可能である。このような実施例においては、識別要素１２０は、ヒューズ１１０が動作可能状態にある際には、第１方式によって応答可能であり、ヒューズ１１０が動作不能状態にある際には、第１のものとは異なる第２方式によって応答可能である。
【００３２】
いくつかのヒューズ１１０にわたる走査動作において使用される際には、通信装置１４０は、ヒューズ１１０の各識別要素１２０に対して呼掛けを実行し、受信される応答のタイプに応じて、（該当する場合に）ヒューズ１１０のいずれが動作不能状態にあるのかを判定可能である。
【００３３】
更に高度な通信プロトコルにおいては、識別要素１２０からの応答を装置１４０によってデコードすることにより、識別要素１２０内に保存されている特定のデータを通信装置１４０に対して伝達可能である。例えば、識別コード、場所コード、製造日付や、場合によっては、時間の経過に伴う電流特性に関するデータなどの中の１つ又は複数のものを識別要素１２０のメモリ２５４内に保存可能である。この結果、システム１００は、電気システムのトラブルシューティングに有用なものとなることができる。同様に、識別要素１２０及び通信装置１４０を適切にプログラミングすることにより、不適切に設置されたヒューズや誤動作しているヒューズを検出及び診断することも可能である。
【００３４】
一実施例においては、ヒューズ１１０の識別要素１２０から伝送された応答情報をハンドヘルド型の装置内のディスプレイ２４０を介してユーザに対して直接的に表示することにより、呼掛けを実行している通信装置１４０の近傍において、１つ又は複数のヒューズの状態に関するリアルタイムのフィードバックを提供可能である。更なる及び／又は代替実施例においては、装置１４０のプロセッサ２４６は、呼掛けの実行と回答の受信に伴って、ヒューズの状態に関係したデータ及び情報を処理及び編集し、次いで、このデータ及び情報が装置１４０のメモリ２４８内に保存される。当業者であれば、このようなメモリ２４８内に保存されたデータ及び情報を、例えば、インターネット又はその他のネットワーク接続、無線接続（例えば、高周波）、光通信リンクなどの通信リンク２６４を使用することにより、情報管理システム又はホストコンピュータ２６０にダウンロード可能であることを理解することができよう。情報管理システム２６０は、ユーザによる分析のための評価用に、情報及びデータを処理及び保存可能である。開路し、交換を必要としているヒューズ１１０を、ヒューズが装着されているシステムに関連するその他のデータと共に、識別可能である。同様に、識別要素１２０と通信装置１４０を適切にプログラミングすることにより、不適切に設置されたヒューズ又は誤動作しているユニットを検出及び診断することも可能である。
【００３５】
同様に、情報管理システム２６０のデータを情報管理システム２６０から通信装置１４０に転送することも可能であり、このデータを使用することにより、例えば、選択された識別要素からの応答をシステム内の特定のヒューズ１１０とマッチングさせることができる。
【００３６】
また、このようなデータを使用することにより、システムの特定のヒューズ１１０に対して呼掛けを生成することも可能である。このような実施例においては、通信装置１４０からの特定の呼掛けを無視し、その他の呼掛けに対して応答するように、ヒューズ１１０の識別要素１２０をプログラミング可能である。更には、様々な呼掛けの実行に伴って様々に応答するように、ヒューズ１１０の識別要素１２０をプログラミングすることも可能である。例えば、識別要素１２０は、基本的な呼掛けに対しては、非常に基本的な応答を、そして、更に高度な呼掛けに対しては、添付データを含む詳細な応答を送信可能である。
【００３７】
以上、システム１００のいくつかの実施例について説明したが、当業者であれば、ヒューズ及び関連するヒューズシステムの状態を監視するための望ましい出力を実現するべくシステムコンポーネントをプログラミングする段階を想起可能であると考えられる。
【００３８】
様々な特定の実施例の観点から本発明について説明したが、当業者であれば、添付の請求項の精神及び範囲内において本発明を変更実施可能である。
【図面の簡単な説明】
【００３９】
【図１】ヒューズ状態識別システムの実施例の概略ブロック図である。
【図２】図１に示されているヒューズ状態識別システム用のヒューズの実施例の概略断面図である。
【図３】図１に示されているヒューズ状態識別システムの更に詳細な概略図である。
【図１】
2007534134.tif 000003
【図２】
2007534134.tif 000004
【図３】
2007534134.tif 000005
【国際調査報告】
2007534134.tif 000006
2007534134.tif 000007
2007534134.tif 000008